(57)【要約】      （修正有）【課題】多様な用紙後処理機能を高速度に遂行することができ、しかもコンパクトな構造である。【解決手段】ステイプリング処理する前まで積載する用紙を待機させるコンパイラー１０６と、コンパイラー１０６に積載した用紙を整列するジョガー１０７と、ジョガー１０７によって整列された設定枚数の用紙をステイプルするステイプラー装置２４と、少なくとも１枚以上のホールを形成した用紙をバッファリングして積載した後その積載した用紙をコンパイラー１０６に移送するバッファー装置１２５とを配置し、進入検出センサ７１の検出情報に基づきパンチング機２５を駆動し、積載して一時保管する用紙のバッファー収容設定枚数を設定し、用紙検出センサ１３３の検出情報に基づき演算し、積載した用紙がバッファー収容設定枚数に到達するとバッファー装置１２５を駆動して積載して一時保管した用紙をコンパイラー１０６に移送する制御装置を備える。【選択図】図４
2012082069.tif 000002
【特許請求の範囲】
【請求項１】
ステイプリング処理する前まで積載する用紙を待機させるコンパイラーと、
前記コンパイラーに積載した用紙を整列するジョガーと、
前記ジョガーによって整列された設定枚数の用紙をステイプリング処理するステイプラー装置と、
前記コンパイラーに画像が形成された用紙を送る用紙移送通路と、
を備え、
前記用紙移送通路には、入ロローラと排出ローラが配置され、
前記入ロローラと前記排出ローラの間に、
前記用紙移送通路に進入する用紙を検出する進入検出センサと、
前記用紙にパンチングによりホールを形成するパンチング機と、
前記パンチング機から排出されるホールを形成した用紙を検出する用紙検出センサと、
少なくとも１枚以上のホールを形成した用紙をバッファリングして積載した後その積載した用紙を前記コンパイラーに移送するバッファー装置と、
を配置し、
前記進入検出センサの検出情報に基づきパンチング機を駆動し、
積載して一時保管する用紙のバッファー収容設定枚数を設定し、前記用紙検出センサの検出情報に基づき演算し、積載した用紙が前記バッファー収容設定枚数に到達すると前記バッファー装置を駆動して前記積載して一時保管した用紙を前記コンパイラーに移送する制御装置を備えることを特徴とする用紙処理装置。
【請求項２】
前記制御装置は、前記バッファー収容設定枚数を、少なくとも用紙の搬送速度、用紙の供給間隔の時間に基づき演算して設定するバッファー収容枚数設定手段を有することを特徴とする請求項１に記載の用紙処理装置。
【請求項３】
前記バッファー収容枚数設定手段は、前記コンパイラーに用紙を移送させて用紙をステイプリング処理しない場合には、前記バッファー収容設定枚数を１枚に設定することを特徴とする請求項２に記載の用紙処理装置。
【請求項４】
前記制御装置は、前記用紙を前記バッファー装置へ収容中に、前記ステイプラー装置の駆動により整列された設定枚数の用紙をステイプリング処理して排出すると、
前記バッファー装置を駆動して前記積載して一時保管した用紙を前記コンパイラーに移送させ、設定枚数の残りのステイプリング処理する必要枚数分の用紙は、前記バッファー装置を介することなく１枚ずつ前記コンパイラーに移送することを特徴とする請求項１に記載の用紙処理装置。
【請求項５】
前記制御装置は、前記用紙がステイプリング処理する設定枚数に至らなくとも、前記ジョガーを駆動して設定枚数に至るまでの間、前記コンパイラーに用紙が１枚ずつ移送されるごとに応じて前記用紙を整列することを特徴とする請求項１に記載の用紙処理装置。
【請求項６】
用紙の移送方向に沿って前記パンチング機と前記バッファー装置とを順に配置し、
前記バッファー装置は、前記移送されるホールが形成された用紙を積載して一時保管することができるバッファートレイと、
前記バッファートレイ上の用紙を前記コンパイラーの方向へ排出させる用紙排出手段とを有し、
前記用紙排出手段は、前記バッファートレイ上の用紙を斜め上方へ排出して前記排出ローラへ送る構成であり、
前記コンパイラーは、前記排出ローラからの排出部の下方位置に配置され、
前記ステイプラーは、前記排出ローラの下方位置に配置されることを特徴とする請求項１に記載の用紙処理装置。
【請求項７】
前記制御装置は、前記パンチング機を駆動して用紙にホールを形成するパンチング有モードと、前記パンチング機を駆動しないパンチング無モードとを有し、
前記パンチング有モードと前記パンチング無モードは、モード設定手段により切り替え可能であることを特徴とする請求項１に記載の用紙処理装置。
【請求項８】
前記制御装置は、前記進入検出センサの検出情報に基づき所定時間経過後に前記パンチング機の駆動を開始することを特徴とする請求項１に記載の用紙処理装置。
【請求項９】
前記パンチング機は、前記用紙にホールを形成するパンチ機構と、パンチング残部を保持するコンベアベルトとを併設し、
前記パンチ機構をモータにより駆動し、
前記コンベアベルトを前記モータにより駆動することを特徴とする請求項１に記載の用紙処理装置。
【発明の詳細な説明】
【技術分野】
【０００１】
この発明は、例えばプリンター、コピー機、印刷機などの画像形成装置から排出される用紙を再処理する用紙処理装置に関する。
【背景技術】
【０００２】
このような画像形成装置には、用紙処理処置を備え、画像形成装置から排出されて出る用紙を後処理するものがあり、従来、この用紙処理装置の一例としては、例えば画像形成装置から排出される用紙を、用紙返送モジュールを通して移送し、この用紙をパンチング機によってパンチングしたり、或いはステイプラー装置によってステイプリングしてスタッカートレーに積載できるように構成されている（特許文献１）。
【先行技術文献】
【特許文献】
【０００３】
【特許文献１】特開２００３−３１２９３４
【発明の概要】
【発明が解決しようとする課題】
【０００４】
このように、用紙処理装置にパンチングまたはステイプリングの機能を備えるものがあるが、パンチングの処理またはステイプリングの処理が単独に行われるだけであり、パンチングした用紙をステイプリングしてスタッカートレーに積載することができず、多様な用紙後処理を遂行することができなかった。
【０００５】
このため、パンチングした用紙をステイプリングしてスタッカートレーに積載するようにすると、多様な用紙後処理を遂行することができるようになるが、パンチングの処理速度とステイプリングの処理速度が異なることから、それぞれの処理速度の調整を行う必要がある。
【０００６】
また、用紙処理装置が画像形成装置に接続して配置されることから、配置スペースに制限があり、ステイプリングとパンチング機能を備える構成によっては、その分装置が大型化する。
【０００７】
この発明は、かかる実情に鑑みてなされたもので、多様な用紙後処理機能を高速度に遂行することができ、しかもコンパクトな構造である用紙処理装置を提供することを目的としている。
【課題を解決するための手段】
【０００８】
前記課題を解決し、かつ目的を達成するために、この発明は、以下のように構成した。
【０００９】
請求項１に記載の発明は、ステイプリング処理する前まで積載する用紙を待機させるコンパイラーと、
前記コンパイラーに積載した用紙を整列するジョガーと、
前記ジョガーによって整列されたステイプル設定枚数の用紙をステイプリング処理するステイプラー装置と、
前記コンパイラーに画像が形成された用紙を送る用紙移送通路と、
を備え、
前記用紙移送通路には、入ロローラと排出ローラが配置され、
前記入ロローラと前記排出ローラの間に、
前記用紙移送通路に進入する用紙を検出する進入検出センサと、
前記用紙にパンチングによりホールを形成するパンチング機と、
前記パンチング機から排出されるホールを形成した用紙を検出する用紙検出センサと、
少なくとも１枚以上のホールを形成した用紙をバッファリングして積載した後その積載した用紙を前記コンパイラーに移送するバッファー装置と、
を配置し、
前記進入検出センサの検出情報に基づきパンチング機を駆動し、
積載して一時保管する用紙のバッファー収容設定枚数を設定し、前記用紙検出センサの検出情報に基づき演算し、積載した用紙が前記バッファー収容設定枚数に到達すると前記バッファー装置を駆動して前記積載して一時保管した用紙を前記コンパイラーに移送する制御装置を備えることを特徴とする用紙処理装置である。
【００１０】
請求項２に記載の発明は、前記制御装置は、前記バッファー収容設定枚数を、少なくとも用紙の搬送速度、用紙の供給間隔の時間に基づき演算して設定するバッファー収容枚数設定手段を有することを特徴とする請求項１に記載の用紙処理装置である。
【００１１】
請求項３に記載の発明は、前記バッファー収容枚数設定手段は、前記コンパイラーに用紙を移送させて用紙をステイプリング処理しない場合には、前記バッファー収容設定枚数を１枚に設定することを特徴とする請求項２に記載の用紙処理装置である。
【００１２】
請求項４に記載の発明は、前記制御装置は、前記用紙を前記バッファー装置へ収容中に、前記ステイプラー装置の駆動により整列されたステイプル設定枚数の用紙をステイプリング処理して排出すると、
前記バッファー装置を駆動して前記積載して一時保管した用紙を前記コンパイラーに移送させ、設定枚数の残りのステイプリング処理する必要枚数分の用紙は、前記バッファー装置を介することなく１枚ずつ前記コンパイラーに移送することを特徴とする請求項１に記載の用紙処理装置である。
【００１３】
請求項５に記載の発明は、前記制御装置は、前記用紙がステイプリング処理するステイプル設定枚数に至らなくとも、前記ジョガーを駆動してステイプル設定枚数に至るまでの間、前記コンパイラーに用紙が１枚ずつ移送されるごとに応じて前記用紙を整列することを特徴とする請求項１に記載の用紙処理装置である。  
【００１４】
請求項６に記載の発明は、用紙の移送方向に沿って前記パンチング機と前記バッファー装置とを順に配置し、
前記バッファー装置は、前記移送されるホールが形成された用紙を積載して一時保管することができるバッファートレイと、
前記バッファートレイ上の用紙を前記コンパイラーの方向へ排出させる用紙排出手段とを有し、
前記用紙排出手段は、前記バッファートレイ上の用紙を斜め上方へ排出して前記排出ローラへ送る構成であり、
前記コンパイラーは、前記排出ローラからの排出部の下方位置に配置され、
前記ステイプラーは、前記排出ローラの下方位置に配置されることを特徴とする請求項１に記載の用紙処理装置である。
【００１５】
請求項７に記載の発明は、前記制御装置は、前記パンチング機を駆動して用紙にホールを形成するパンチング有モードと、前記パンチング機を駆動しないパンチング無モードとを有し、
前記パンチング有モードと前記パンチング無モードは、モード設定手段により切り替え可能であることを特徴とする請求項１に記載の用紙処理装置である。
【００１６】
請求項８に記載の発明は、前記制御装置は、前記進入検出センサの検出情報に基づき所定時間経過後に前記パンチング機の駆動を開始することを特徴とする請求項１に記載の用紙処理装置である。
【００１７】
請求項９に記載の発明は、前記パンチング機は、前記用紙にホールを形成するパンチ機構と、パンチング残部を保持するコンベアベルトとを併設し、
前記パンチ機構をモータにより駆動し、
前記コンベアベルトを前記モータにより駆動することを特徴とする請求項１に記載の用紙処理装置である。
【発明の効果】
【００１８】
前記構成により、この発明は、以下のような効果を有する。
【００１９】
請求項１に記載の発明では、積載して一時保管する用紙のバッファー収容設定枚数を設定し、用紙検出センサの検出情報に基づき演算し、積載した用紙がバッファー収容設定枚数に到達するとバッファー装置を駆動して積載して一時保管した用紙をコンパイラーに移送することで、多様な用紙後処理機能を高速度に遂行することができ、しかもコンパクトな構造である。
【００２０】
請求項２に記載の発明では、バッファー収容設定枚数を、少なくとも用紙の搬送速度、用紙の供給間隔の時間に基づき演算して設定することで、多様な用紙後処理機能を高速度に遂行することができる。
【００２１】
請求項３に記載の発明では、コンパイラーに用紙を移送させて用紙をステイプリング処理しない場合には、バッファー収容設定枚数を１枚に設定し、迅速な処理を可能とする。
【００２２】
請求項４に記載の発明では、用紙をバッファー装置へ収容中に、ステイプラー装置の駆動により整列されたステイプル設定枚数の用紙をステイプリング処理して排出すると、バッファー装置を駆動して積載して一時保管した用紙をコンパイラーに移送させ、ステイプル設定枚数の残りのステイプリング処理する必要枚数分の用紙は、バッファー装置を介することなく１枚ずつコンパイラーに移送することで、ステイプリング処理に合わせた迅速な処理を可能とする。
【００２３】
請求項５に記載の発明では、用紙がステイプリング処理するステイプル設定枚数に至らなくとも、ジョガーを駆動してステイプル設定枚数に至るまでの間、コンパイラーに用紙が１枚ずつ移送されるごとに応じて用紙を整列することで、用紙がステイプリング処理するステイプル設定枚数に到達すると直ぐに過ぎにステイプリング処理を可能とする。
【００２４】
請求項６に記載の発明では、用紙の移送方向に沿ってパンチング機とバッファートレイとを順に配置し、用紙排出手段は、バッファートレイ上の用紙を斜め上方へ排出して排出ローラへ送る構成であり、コンパイラーは、排出ローラからの排出部の下方位置に配置され、ステイプラー装置は、排出ローラの下方位置に配置され、用紙移送通路の周りを利用したコンパクトな配置構造である。
【００２５】
請求項７に記載の発明では、パンチング有モードとパンチング無モードとは、モード設定手段により切り替え可能であり、パンチングの処理を選択して行うことができる。
【００２６】
請求項８に記載の発明では、進入検出センサの検出情報に基づき所定時間経過後にパンチング機の駆動を開始し、パンチングを簡単な構造でホールの位置がずれることもなく確実に行うことができる。
【００２７】
請求項９に記載の発明では、パンチ機構をモータにより駆動し、このモータを利用してコンベアベルトを駆動することで、モータが駆動してパンチ機構が作動する間にコンベアベルトを同時に駆動させ、パンチ機構が作動しない間にはコンベアベルトの駆動を止めるようにシステムを構成し、コンベアベルトの上に落ちたパンチング残物が順次に自動で排出される。また、パンチ機構を駆動するモータでコンベアベルトを駆動することで、コンベアベルトを駆動するために別途の動力を伝達するモータを設置する必要がない。
【図面の簡単な説明】
【００２８】
【図１】画像処理装置に構成される一般的な用紙処理装置の構造を説明するための図である。
【図２】パンチング機の構造を説明するための断面図である。
【図３】パンチング機の構造を説明するための斜視図である。
【図４】用紙処理装置のバッファリング過程を説明するための図である。
【図５】バッファリングされた用紙の移送構造を説明するための図である。
【図６】バッファー装置の加圧ローラの動作を制御する構造を説明するための図である。
【図７】用紙の再処理が実行されないモードで用紙の移送構造を説明するための図である。
【図８】用紙処理装置の制御装置の構成を示すブロック図である。
【図９】用紙処理装置の動作過程を説明するためのフローチャートである。
【発明を実施するための形態】
【００２９】
以下、この発明の用紙処理装置の実施の形態について説明する。この発明の実施の形態は、発明の最も好ましい形態を示すものであり、この発明はこれに限定されない。
【００３０】
図１は画像形成装置に備えられる用紙処理装置を示す図である。この実施の形態では、一般的にコピー機１などの画像形成装置は、その画像形成装置の側部にその画像形成装置から排出されて出る画像が形成された用紙を後処理するための用紙処理装置２を具備する。
【００３１】
この用紙処理装置２の多様なモデル、例えばコピーされて出た用紙を上トレイ２２に積載する上トレイ排出モデル１５と、コピーなどの作業が完了した用紙をパンチング機２５を利用してパンチングし、さらにステイプラー装置２４を利用してステイプリングした後スタックトレイ１０４に積載するように構成される用紙処理モデル２０と、上トレイ排出モデル１５と用紙処理モデル２０に用紙を分配してくれる返送モデル４０などを具備する。
【００３２】
パンチング機２５は、図２及び図３に示すように構成される。図２はパンチング機の断面図、図３はパンチング機の斜視図である。
【００３３】
この実施の形態のパンチング機２５は、用紙にホールを形成するパンチ機構９０を有し、このパンチ機構９０には、支持板５３に一直線に配置されるように下固定軸６４と、上固定軸６３が上下に対向して設置される。この支持板５３には、下固定軸６４と上固定軸６３を両方で支持するように設置されるが、図面の構造が複雑になることを避けるためにモータ５１の側に設置される支持板はその図面を略した。
【００３４】
下固定軸６４には、一定の間隔で複数個の雌パンチ６２ａが設置されて、上固定軸６３には、それぞれの雌パンチ６２ａに対応する位置に複数個の雄パンチ６１ａがそれぞれ設置される。雄パンチ６１ａには、それぞれ円形突起刃６７ａが設けられ、雌パンチ６２ａには、それぞれ輪乗り刃６８ａが設けられ、この円形突起刃６７ａと輪乗り刃６８ａとのパンチングにより用紙Ｐにホールを形成する。
【００３５】
上固定軸６３のモータ５１の側端部には、パンチギヤ５９が設置され、下固定軸６４のモータ５１の側端部には、パンチギヤ６０が設置され、このパンチギヤ５９とパンチギヤ６０とが噛み合い、上固定軸６３と下固定軸６４がお互いに反対方向で回転するように構成される。
【００３６】
パンチギヤ５９は、モータ５１の出力軸５１ａに固定されたモータギヤ５２によって駆動されるように構成され、このパンチギヤ５９とモータギヤ５２の間には、パンチ減速ギヤ５４を設置してパンチング機２５の回転速度を減速することができるようにする。
【００３７】
また、下固定軸６４の下方位置には、下固定軸６４と一直線な方向にコンベア８０が設置され、このコンベア８０のコンベアベルト７２上には雌パンチ  ６２ａと雄パンチ６１ａによってパンチングになった用紙のパンチング残物が落ちるように構成される。
【００３８】
コンベアベルト７２は、コンベアベース６５に固定されたコンベア駆動ギヤ５８によって回転するように設置され、コンベア駆動ギヤ５８はモータギヤ  ５２が回転する時同時に回転するようにプーリギヤ５５とプーリウオーム５７及びタイミングベルト５６を中間に設置する。プーリウオーム５７をコンベア駆動ギヤ５８とモータギヤ５２間に設置することで、下固定軸６４及び上固定軸６３の固定軸方向にコンベアベルト７２が回転するようにできる。
【００３９】
このように、パンチング機２５は、用紙にホールを形成するパンチ機構９０と、パンチング残部を保持するコンベアベルト７２とを併設し、パンチ機構９０をモータ５１により駆動し、このモータ５１を利用してコンベアベルト７２を駆動することで、モータ５１が駆動してパンチ機構９０が作動する間にコンベアベルト７２を同時に駆動させ、パンチ機構９０が作動しない間にはコンベアベルト７２の駆動を止めるようにシステムを構成しており、コンベアベルト７２の上に落ちたパンチング残物が順次に自動で排出される。
【００４０】
また、下固定軸６４と上固定軸６３の間に用紙ｐを移送することができるようにする複数個の入口ローラ１０８が設置され、これらの入口ローラ１０８の前方には用紙の入ロガイド６９が設置される。入口ローラ１０８をパスする用紙は進入検出センサ７１の信号によってモータ５１の回転が制御され、進入検出センサ７１の検出情報に基づき所定時間経過後にパンチング機２５の駆動を開始し、パンチングの処理を迅速に開始することができる。進入検出センサ７１は、非接触により検出するセンサを用いているが、接触により検出するセンサを用いてもよい。
【００４１】
入ロガイド６９及び入口ローラ１０８を通じて用紙ｐが、下固定軸６４と上固定軸６３の間、すなわち雌パンチ６２ａと雄パンチ６１ａの間を通過すれば進入検出センサ７１の検出信号によってモータ５１が回転し、そのモータ５１の回転によって雌パンチ６２ａの円形突起刃６７ａが雄パンチ６１ａの輪乗り刃  ６８ａを貫いて、その雌パンチ６２ａと雄パンチ６１ａの間を通過する用紙ｐをパンチングするようになる。
【００４２】
このようにパンチングされた用紙ｐのパンチング残物は、モータ５１が回転する時同時に回転されるコンベアベルト７２上に落ちて、コンベアベルト７２の上に落ちたパンチング残物はコンベアベルト７２の駆動によって順次に外部へ排出される。そして、パンチングされた用紙ｐは移送ローラ７０を通り排出される。図２に示すように、入口ローラ１０８の反対側には移送ローラ７０が配置されるが、図３にはその図が省略されている。
【００４３】
このように、パンチング機２５は、パンチング残物を自動で排出するようにモータ５１によって駆動されるコンベア８０を設置し、パンチング機２５のモータ５１が回転してパンチング機２５が作動する間にコンベア８０を同時に駆動させ、パンチング機２５が作動しない間には、コンベア８０の駆動が止めるようにシステムを構成してコンベア８０の上に落ちたパンチング残物が順次に用紙処理装置２の外に自動で排出されるようにすることで、パンチング機２５の機能を向上することができる。
【００４４】
したがって、用紙処理装置２内に別途のパンチング残物を収去する容器などを設置して周期的にその容器をあける必要なしに自動でパンチングになった残物を用紙処理装置２の外で排出するようにすることができる。また、パンチ機構９０を駆動するモータ５１でコンベアベルト７２を駆動することで、コンベアベルト７２を駆動するために別途の動力を伝達するモータを設置する必要がない。
【００４５】
この実施の形態のステイプラー装置２４は、図４乃至図７に示すように構成される。ステイプラー装置２４は、用紙の再処理過程で用紙移送路１０５を通じて移送されて来る用紙が遅滞されるとかまたは一定時間待機しないようにして用紙の再処理効率化を進めるようにする。
【００４６】
この用紙処理装置２は、用紙移送路１０５と、バッファー装置１２５と、用紙移送路１０５を通じて移送される用紙を積載するコンパイラー１０６と、コンパイラー１０６に積載した用紙を整列するジョガー１０７と、ジョガー１０７によって整列された用紙を再処理するステイプラー装置２４を具備し、ステイプラー装置２４によって再処理された用紙はスタックトレイ１０４に排出されて積載する。
【００４７】
バッファー装置１２５により複数枚の用紙をバッファリングして積載した後その積載した用紙を、用紙移送路１０５からコンパイラー１０６に移送し、この用紙移送路１０５には、ローラなどからなる用紙移送手段１４０が配置される。用紙移送手段１４０は、入ロローラ１０８、移送ローラ７０、排出ローラ１１８を有する。
【００４８】
この用紙移送路１０５による用紙の移送方向に沿って、画像形成装置から進入する用紙を検出する進入検出センサ７１と、用紙にホールを形成するパンチング機２５と、パンチング機２５から排出されるホールを形成した用紙に検出する用紙検出センサ１３３と、少なくとも１枚以上のホールを形成した用紙をバッファリングして積載した後その積載した用紙をコンパイラー１０６に移送するバッファー装置１２５とを順に配置する。用紙検出センサ１３３は、接触により検出するセンサを用いているが、非接触により検出するセンサを用いてもよい。
【００４９】
バッファー装置１２５は、移送されるホールが形成された用紙を積載して一時保管することができるバッファートレイ１２６と、バッファートレイ１２６上の用紙をコンパイラー１０６の方向へ排出させる用紙排出手段１２０とを有する。バッファートレイ  １２６上には、移送されてくる用紙ｐをバッファートレイ１２６の方へ押してバッファートレイ１２６上に用紙が正確ヒ積載するようにするガイド１３４が設置される。
【００５０】
用紙排出手段１２０は、バッファートレイ１２６上の用紙を斜め上方へ排出して排出ローラ１１８へ送る構成であり、加圧ローラ１３０及びアイドルローラ１２８で構成される。コンパイラー１０６は、排出ローラ１１８からの排出部の下方位置に配置され、ステイプラー装置１０３は、排出ローラ１１８の下方位置に配置される。用紙ｐが積載されるバッファートレイ１２６の面の長さは、積載する用紙の長さより大きく形成して積載した用紙が行って加圧ローラ１３０の作動の前までは排出ローラ１１８の方に移動しないようにする。
【００５１】
このように、用紙の移送方向に沿って、パンチング機２５とバッファー装置１２５とを順に配置し、バッファー装置１２５は、移送されるホールが形成された用紙を積載して一時保管することができるバッファートレイ１２６と、バッファートレイ１２６上の用紙をコンパイラー１０６の方向へ排出させる用紙排出手段１２０とを有し、この用紙排出手段１２０は、バッファートレイ１２６上の用紙を斜め上方へ排出して排出ローラ１１８へ送る構成であり、コンパイラー１０６は、排出ローラ１１８からの排出部の下方位置に配置され、ステイプラー装置２４は、排出ローラ１１８の下方位置に配置され、用紙移送通路１０５の周りを利用したコンパクトな配置構造である。
【００５２】
図８は用紙処理装置の制御装置の構成を示すブロック図、図９は用紙処理装置の動作過程を説明するためのフローチャートである。
【００５３】
この実施の形態の用紙処理装置２は、制御装置２００を備えるが、この制御装置２００は、コピー機１などの画像形成装置と一体に構成しても、別体に構成してもよい。この制御装置２００は、駆動モードとして、パンチング機１２５を駆動して用紙にホールを形成し、ステイプラー装置１０３を駆動してステイプリング処理するパンチング有モード２０１と、パンチング機２５を駆動しないで、ステイプラー装置１０３を駆動してステイプリング処理するパンチング無モード２０２とを有し、これらのモードはマイクロコンピュータに記憶されたプログラムにより構成され、このパンチング有モード２０１とパンチング無モード２０２は、モード設定手段２０３により切り替え可能であり、パンチングの処理を選択して行うことができる。
【００５４】
制御装置２００は、パンチング有モード２０１では、用紙を送る用紙移送通路１０５に配置される用紙移送手段１４０を駆動し、進入検出センサ７１の検出情報に基づきパンチング機２５を駆動し、パンチング無モード２０２では、用紙を送る用紙移送通路１０５に配置される用紙移送手段１４０を駆動するが、進入検出センサ７１の検出情報によってもパンチング機２５を駆動しない。
【００５５】
コピー機１などの画像形成装置にステイプリング処理する用紙の束のステイプル枚数を設定するステイプル枚数設定手段２１０を備え、このステイプル枚数設定手段２１０から制御装置２００にステイプリング処理する用紙の束のステイプル枚数を設定する。ステイプル枚数設定手段２１０はコピー機１などの画像形成装置に備えるが、画像形成装置とは別に用紙処理装置２に備えてもよく、使用者はステイプル枚数設定手段２１０によってステイプリング処理する用紙の束のステイプル枚数を自由に設定することができる。
【００５６】
制御装置２００は、バッファー収容設定枚数を、少なくとも用紙の搬送速度、用紙の供給間隔の時間に基づき演算して設定するバッファー収容枚数設定手段２０４を有する。このバッファー収容枚数設定手段２０４は、用紙検出センサ１３３が移送される用紙ｐの先端から後端を検出する情報に基づき用紙の搬送速度を得、また先行する用紙ｐの後端を検出してから後行する用紙ｐの先端を検出する情報から用紙ｐの供給間隔の時間を得る。
【００５７】
このように、バッファー収容枚数設定手段２０４は、用紙検出センサ１３３の検出情報に基づきバッファー収容設定枚数を、少なくとも用紙の搬送速度、用紙の供給間隔の時間に基づき演算して設定し、制御装置２００は、積載した用紙ｐがバッファー収容設定枚数に到達するとバッファー装置１２５を駆動して積載して一時保管した用紙ｐをコンパイラー１０６に移送する。
【００５８】
バッファー収容枚数設定手段２０４は、コンパイラー１０６に用紙ｐを移送させて用紙をステイプリング処理しない場合には、バッファー収容設定枚数を１枚に設定し、バッファー装置１２５を作動させないようにして迅速な処理を可能とする。
【００５９】
また、制御装置２００は、用紙ｐをバッファー装置１２５へ収容中に、ステイプラー装置１０３の駆動により整列されたステイプル設定枚数の用紙ｐをステイプリング処理して排出すると、バッファー装置１２５を駆動して積載して一時保管した用紙ｐをコンパイラー１０６に移送させ、ステイプル設定枚数の残りのステイプリング処理する必要枚数分の用紙ｐは、バッファー装置１２５を介することなく１枚ずつコンパイラー１０６に移送し、ステイプラー装置１０３の処理に合わせた迅速な処理を可能とする。
【００６０】
また、制御装置２００は、用紙ｐがステイプリング処理するステイプル設定枚数に至らなくとも、ジョガー１０７を駆動してステイプル設定枚数に至るまでの間、コンパイラー１０６に用紙ｐが１枚ずつ移送されるごとに応じて用紙ｐを整列し、用紙ｐがステイプリング処理するステイプル設定枚数に到達すると直ぐにステイプリング処理を可能とする。
【００６１】
このように、パンチング有モード２０１においては、進入検出センサ７１の検出情報に基づきパンチング機２５を駆動し、さらに用紙検出センサ１３３の検出情報に基づきバッファー装置１２５を駆動し、用紙を用紙移送手段１４０によりコンパイラー１０６に移送し、コンパイラー１０６に積載した用紙をジョガー１０７により整列し、ジョガー１０７によって整列された用紙をステイプラー装置１０３によってステイプルする。
【００６２】
また、パンチング無モード２０２においては、進入検出センサ７１の検出情報に基づきパンチング機２５を駆動しないが、用紙検出センサ１３３の検出情報に基づきバッファー装置１２５を駆動し、用紙を用紙移送手段１４０によりコンパイラー１０６に移送し、コンパイラー１０６に積載した用紙をジョガー１０７により整列し、ジョガー１０７によって整列された用紙をステイプラー装置１０３によってステイプルする。
【００６３】
図９はこの実施の形態の用紙処理装置の動作過程を説明するためのフローチャートであり、図４乃至図７を利用して用紙再処理過程を具体的に説明する。
【００６４】
まず、用紙処理装置２のシステムを初期化（ステップＳ１）する段階を経て用紙処理装置２の駆動モードで、モード設定手段２０３によりパンチング有モード２０１またはパンチング無モード２０２のモードを設定し（ステップＳ２）、さらにステイプル枚数設定手段２１０によってステイプリング処理する用紙の束のステイプル枚数を設定する（ステップＳ３）。
【００６５】
常時駆動する入口ローラ１０８に再処理する用紙ｐが供給されるように用紙を給紙し（ステップＳ４）、入口ローラ１０８を通じて用紙移送路１０５に用紙ｐが移送され（ステップＳ５）、設定された駆動モードがパンチング有モード２０１に設定されていると、入口ローラ１０８を通過した用紙は、進入検出センサ７１の検出信号によって（ステップＳ６）、所定時間後にパンチング機２５のモータ５１が駆動し、モータギヤ５２を１回転させる（ステップＳ７）。
【００６６】
このモータ５１が駆動することで、モータギヤ５２を介して上固定軸６３と下固定軸６４がお互いに反対方向に回転し、雌パンチ６２ａの円形突起刃６７ａが雄パンチ６１ａの輪乗り刃６８ａを貫いて、その雌パンチ６２ａと雄パンチ６１ａの間を通過する用紙をパンチングする。パンチングされた用紙のパンチング残物は、モータ５１が回転する時同時に回転されるコンベアベルト７２上に落ちて、コンベアベルト７２の上に落ちたパンチング残物はコンベアベルト７２の駆動によって順次に外部へ排出される（ステップＳ８）。
【００６７】
パンチングされた用紙ｐは移送ローラ７０を通り、バッファートレイ１２６に移送される（ステップＳ９）。
【００６８】
バッファートレイ１２６に移送された用紙ｐは、用紙検出センサ１３３の作動によって（ステップＳ１０）、バッファートレイ１２６に設定された枚数を積載する（ステップＳ１１）。
【００６９】
用紙検出センサ１３３の作動過程で、用紙移送路１０５に用紙のジャムまたは用紙移送エラーが発生すれば、用紙のジャムまたはエラーの表示を行い（ステップＳ１２）、用紙処理装置２の使用者が用紙のジャムまたはエラーを解除するまで用紙処理装置は待機する。
【００７０】
バッファートレイ１２６に積載するバッファー収容設定枚数は、バッファー収容枚数設定手段２０４が、用紙検出センサ１３３の検出情報に基づき、少なくとも用紙の搬送速度、用紙の供給間隔の時間に基づき演算して設定し、このバッファー収容設定枚数になるまでは図４に示すように加圧ローラ１３０がアイドルローラ１２８から離脱された状態を維持してバッファートレイ１２６に積載するようにする。続けて、バッファー収容設定枚数がバッファートレイ１２６に積載されれば、図５に示すように加圧ローラ１３０を作動させ（ステップＳ１３）、加圧ローラ１３０をアイドルローラ１２８と接動させることで、バッファートレイ１２６上に収容された用紙ｐを用紙処理装置２の駆動モードで常時駆動する排出ローラ１１８の方向へ移送させる。
【００７１】
加圧ローラ１３０の作動によって移送される用紙ｐの先端が排出ローラ１１８の入口を通過しながらその排出ローラ１１８の接動力によって移送され始めれば加圧ローラ１３０は次にバッファリングになる最初の用紙の先端が入口ローラ１０８を通過した後その加圧ローラ１３０の位置に到達する前に元の位置に移動するように構成される。
【００７２】
すなわち、加圧ローラ１３０は、バッファリングになった用紙ｐの先端を排出ローラ１１８の方に送り出した後すぐ元の位置に移動して次にバッファリングされるため最初の用紙の移送引き延ばしが発生しないように作動する。
【００７３】
続いて、排出ローラ１１８に移送された用紙は、コンパイラー１０６に移送され（ステップＳ１４）、コンパイラー１０６に積載し、その積載する用紙ｐが所定の再処理用紙毎数に至ればジョガー１０７が作動してコンパイラー１０６に積載した用紙を整列する（ステップＳ１５）。用紙ｐがステイプリング処理するステイプル設定枚数に至らなくとも、ジョガー１０７を駆動してステイプル設定枚数に至るまでの間、コンパイラー１０６に用紙ｐが１枚ずつ移送されるごとに応じて用紙ｐを整列し、用紙ｐがステイプリング処理するステイプル設定枚数に到達すると直ぐにステイプリング処理を可能とする。
【００７４】
コンパイラー１０６上で整列された再処理用紙は、ステイプラー装置１０３によって再処理されて、再処理された用紙はスタックトレイ１０４に排出されて積載する（ステップＳ１６）。このスタックトレイ１０４に排出されるとともに、コンパイラー１０６上に積載した用紙を再処理する間ジョガー１０７を作動させて用紙を整列し、ステイプリングした後スタックトレイ１０４に排出される間バッファートレイ１２６に入口ローラ１０８を通過して移送されてくる用紙を積載してバッファリングと、コンパイラー１０６上の再処理過程が終わった時バッファートレイ１２６にバッファリングされた用紙をまたコンパイラー１０６で移送させることができる。
【００７５】
したがって、入口ローラ１０８を通じて移送されてくる用紙は待機時間なしに決まった時間間隔に供給されるので用紙を再処理する過程で発生する作業時間のロスが発生しないで用紙処理装置の用紙移送敷率は大きく改善する。
【００７６】
勿論、加圧ローラ１３０の動作タイミング設定すなわち、用紙のバッファリング枚数設定はコンパイラー１０６上の用紙を再処理時間によって適切に調整するように構成される。そして、コンパイラー１０６に用紙を移送させて用紙を再処理しない場合には、制御装置２００のバッファー収容枚数設定手段２０４が用紙のバッファー収容枚数を１枚に設定し、これにより図７の構造と一緒に用紙移送路１０５を通じて入ってくる用紙ｐはバッファートレイ１２６に積載されないで、直ちにスタックトレイ１０４に排出されるように加入ローラ１３０をアイドルローラ１２８に接動させておけば良い。
【００７７】
このように、積載して一時保管する用紙ｐのバッファー収容設定枚数を設定し、用紙検出センサ１３３の検出情報に基づき演算し、積載した用紙がバッファー収容設定枚数に到達するとバッファー装置１２５を駆動して積載して一時保管した用紙ｐをコンパイラー１０６に移送することで、多様な用紙後処理機能を高速度に遂行することができ、しかもコンパクトな構造である。
【００７８】
また、パンチング有モード２０１とパンチング無モード２０２とは切り替え可能であり、パンチングの処理を選択して行うことができ、図９はパンチング有モード２０１においての用紙処理装置２の動作過程を説明するためのフローチャートであり、パンチング無モード２０２においてはステップＳ６〜ステップＳ８が省略され、ステップＳ９からパンチング有モード２０１においての作動と同様な作動が実施される。
【００７９】
この実施の形態のバッファー装置１２５は、用紙移送路１０５の入口ローラ１０８と排出ローラ１１８の間に、バッファートレイ１２６を配置し、バッファートレイ１２６上にはアイドルローラ１２８に接動及び離脱が可能な加圧ローラ１３０を配置し、加圧ローラ１３０は所定の用紙枚数がバッファートレイ１２６に積載した時アイドルローラ１２８と接動し、バッファートレイ１２６に積載した用紙を排出ローラ１１８の方向へ一度に移動させることができる。
【００８０】
また、用紙の再処理過程では、入口ローラ１０８を通じて移送になってくる用紙が遅滞されるとかまたは一定時間待機しないようにして用紙の再処理能率を進める数果を得ることができる。さらに、用紙移送路１０５を通じて供給される用紙が用紙処理装置の用紙整列及び再処理動作にかかわらず均一な速度に供給されて排出される。
【産業上の利用可能性】
【００８１】
この発明は、プリンター、コピー機、印刷機などの画像形成装置から排出される用紙を再処理する用紙処理装置に適用可能であり、多様な用紙後処理機能を高速度に遂行することができ、しかもコンパクトな構造である。
【符号の説明】
【００８２】
１  コピー機
２  用紙処理装置
２４  ステイプラー装置
２５  パンチング機
５１  モータ
５２  モータギヤ
５４  パンチ減速ギヤ
５５  プーリギヤ
５６  タイミングベルト
５７  プーリウオーム
５８  コンベア駆動ギヤ
５９，６０  パンチギヤ
６１ａ  雄パンチ
６２ａ  雌パンチ
６３  上固定軸
６４  下固定軸
６５  コンベアベース
６７ａ  円形突起刃
６８ａ  輪乗り刃
７１  進入検出センサ
７０  移送ローラ
７２  コンベアベルト
８０  コンベア
９０  パンチ機構
１０３  ステイプラー
１０５  用紙移送通路
１０６  コンパイラー
１０７  ジョガー
１０８  入ロローラ
１１８  排出ローラ１２０  用紙排出手段
１２５  バッファー装置
１２６  バッファートレイ
１３３  用紙検出センサ
２００  制御装置
２０１  パンチング有モード
２０２  パンチング無モード
２０３  モード設定手段
２０４  収容枚数設定手段
【図１】
2012082069.tif 000003
【図２】
2012082069.tif 000004
【図３】
2012082069.tif 000005
【図４】
2012082069.tif 000006
【図５】
2012082069.tif 000007
【図６】
2012082069.tif 000008
【図７】
2012082069.tif 000009
【図８】
2012082069.tif 000010
【図９】
2012082069.tif 000011